(57)【要約】【課題】従来の外付け回路の設計により変える方法ではモデル毎に外付け部品やその定数を変える物理的な作業が必要であった。そのような作業を行わず簡単にカラーキラーの動作点を設定できる方法が求められていた。【解決手段】映像信号中のカラー信号を消去するカラーキラー動作点を調整するためのカラーキラー調整装置であって、カラーキラー動作点を定めるために記憶した制御信号を発生するＣＰＵ２と、該ＣＰＵからの制御信号に応じた基準電圧を発生するカラーキラー制御回路４と、該カラーキラー制御回路からの前記基準電圧と前記カラー信号中のバースト信号の大きさを示す信号とのレベル比較を行い、その比較結果に応じて映像信号中のカラー信号を消去するコンパレータ５とを備える。【選択図】図１
2004112165.tif 000002
【特許請求の範囲】
【請求項１】
映像信号中のカラー信号を消去するカラーキラー動作点を調整するためのカラーキラー調整装置であって、
カラーキラー動作点を定めるために記憶した制御信号を発生するＣＰＵと、
該ＣＰＵからの制御信号に応じた基準電圧を発生するカラーキラー制御回路と、
該カラーキラー制御回路からの前記基準電圧と前記カラー信号中のバースト信号の大きさを示す信号とのレベル比較を行い、その比較結果に応じて映像信号中のカラー信号を消去するコンパレータとを備え、所望のカラーキラー動作点に応じて前記ＣＰＵの前記制御信号を選択することを特徴とするカラーキラー調整装置。
【請求項２】
カラーキラー動作点を定める制御信号を記憶するメモリーを備え、該メモリーの前記制御信号が前記ＣＰＵにより読み出されることを特徴とする請求項１記載のカラーキラー調整装置。
【請求項３】
前記ＣＰＵと、前記カラーキラー制御回路及び前記コンパレータは同一のＩＣパッケージ内に形成されることを特徴とする請求項１記載のカラーキラー調整装置。
【請求項４】
前記ＣＰＵからの前記制御信号は、バスライン方式で伝送され、伝送されてきた前記制御信号を前記カラーキラー制御回路に伝えるバスインターフェイス回路を備えることを特徴とする請求項１記載のカラーキラー調整装置。
【請求項５】
映像信号中のカラー信号を消去するカラーキラー動作点を調整するためのカラーキラー調整装置であって、
カラーキラー動作点を定める制御信号を記憶するメモリーと、
該メモリーの前記制御信号を読み出すＣＰＵと、
該ＣＰＵからの制御信号に応じた基準電圧を発生するカラーキラー制御回路と、
該カラーキラー制御回路からの前記基準電圧と前記カラー信号中のバースト信号の大きさを示す信号とのレベル比較を行い、その比較結果に応じて映像信号中のカラー信号を消去するコンパレータとを備え、所望のカラーキラー動作点に応じて前記メモリーの前記制御信号を選択することを特徴とするカラーキラー調整装置。
【発明の詳細な説明】
【０００１】
【発明の属する技術分野】
本発明は、ＴＶ（テレビジョン）受像機に使用されるカラーキラー調整装置に関するものであり、特にＣＰＵ（マイクロコンピュータ）とＴＶ信号処理ＩＣとが一体又は１チップで構成される場合に好適なカラーキラー調整装置に関する。
【０００２】
【従来の技術】
ＴＶ受像機では弱電界などで電波の受信状態が悪くなった時にカラー信号を意図的に消してしまうカラーキラー機能を有する。その具体的な方法としては、カラー信号中のカラーバースト信号を平滑してＤＣ（直流）電圧に変換する。そして、変換されたＤＣ電圧を基準電圧とレベル比較する。レベル比較した結果、変換されたＤＣ電圧が基準電圧よりも大きいならばそのままカラー信号を使用するが、もし変換されたＤＣ電圧が基準電圧よりも小さいならばカラー信号を禁止する。この結果、きれいな映像が得られる。
【０００３】
このカラーキラー機能をどのレベルから利かせるかは、ＴＶ受像機のモデルや、仕向け地、設計者の要求などにより様々である。そこで従来は、前記基準電圧の設定をＴＶ信号処理ＩＣのピン外部で設定できるようにしていた。
これれにより、ＴＶ信号処理ＩＣの外付け回路の設計により自由にカラーキラーの動作点を設定できる。
【０００４】
【発明が解決しようとする課題】
しかしながら、従来の外付け回路の設計により変える方法ではモデル毎に外付け部品やその定数を変える物理的な作業が必要であった。そのような作業を行わず簡単にカラーキラーの動作点を設定できる方法が求められていた。
【０００５】
【課題を解決するための手段】
本発明は上述の課題に鑑みなされたもので、映像信号中のカラー信号を消去するカラーキラー動作点を調整するためのカラーキラー調整装置であって、
カラーキラー動作点を定めるために記憶した制御信号を発生するＣＰＵと、該ＣＰＵからの制御信号に応じた基準電圧を発生するカラーキラー制御回路と、該カラーキラー制御回路からの前記基準電圧と前記カラー信号中のバースト信号の大きさを示す信号とのレベル比較を行い、その比較結果に応じて映像信号中のカラー信号を消去するコンパレータとを備え、所望のカラーキラー動作点に応じて前記ＣＰＵの前記制御信号を選択することを特徴とする。
【０００６】
また、本発明は、映像信号中のカラー信号を消去するカラーキラー動作点を調整するためのカラーキラー調整装置であって、カラーキラー動作点を定める制御信号を記憶するメモリーと、該メモリーの前記制御信号を読み出すＣＰＵと、該ＣＰＵからの制御信号に応じた基準電圧を発生するカラーキラー制御回路と、該カラーキラー制御回路からの前記基準電圧と前記カラー信号中のバースト信号の大きさを示す信号とのレベル比較を行い、その比較結果に応じて映像信号中のカラー信号を消去するコンパレータとを備え、所望のカラーキラー動作点に応じて前記メモリーの前記制御信号を選択することを特徴とする。
【０００７】
【発明の実施の形態】
次に、本発明の実施の形態について図面を参照しながら説明する。図１において、１はカラーキラー動作点を定める制御信号を記憶するＥＥＰＲＯＭ（電気的消去可能なメモリー）、２は該ＥＥＰＲＯＭ１の前記制御信号を読み出すＣＰＵ、３はＣＰＵ２からの制御信号がバスライン方式で伝送され、伝送されてきた制御信号のインターフェイスを行うバスインターフェイス回路である。
【０００８】
また４はバスインターフェイス回路３からの制御信号に応じた基準電圧を発生するカラーキラー制御回路、５はカラーキラー制御回路４からの基準電圧Ｖｒｅｆと端子６からのカラー信号中のバースト信号の大きさを示す信号とのレベル比較を行うコンパレータである。
【０００９】
更に、７は端子８からのカラー信号の大きさを変えるＢＰＡ（バンドパスアンプ）、９はＢＰＡ７からのカラー信号を復調して３つの色差信号Ｒ−Ｙ，Ｇ−Ｙ、Ｂ−Ｙを発生する復調回路、１０は端子１１からのＹ（輝度）信号と前記３つの色差信号Ｒ−Ｙ，Ｇ−Ｙ、Ｂ−Ｙとのマトリクスを行い３つの原色信号Ｒ，Ｇ，Ｂを発生するマトリクス回路である。
【００１０】
ＴＶ信号処理ＩＣ１２は、バスインターフェイス回路３、カラーキラー制御回路４、コンパレータ５、ＢＰＡ７、復調回路９、マトリクス回路１０を含み、同一の半導体チップで構成されている。ＥＥＰＲＯＭ１とＣＰＵ２は、独立の半導体チップで構成され、２線または３線のバスラインで接続されている。
【００１１】
この３つの半導体チップは、チップは３つであるが１つの半導体パッケージに収納して外観からは１つの半導体パッケージに見えるように構成してもよい。また、前記３つの半導体チップを１つのチップで構成しても良い。特にＣＰＵは一般にＲＯＭ機能を備えるのでＣＰＵ２内部に記憶させてもよい。なお、ＥＥＰＲＯＭ１に記憶すれば、後での書き換えが容易である。
【００１２】
次に上述の構成の装置の動作を説明する。カラーキラー制御回路４から発生する基準電圧Ｖｒｅｆは、例えばデジタル値０から７までの８通りに設定できるようにする。この所望の値は、ＴＶ受像機のモデルや、仕向け地、設計者の要求などにより自由に設定するものである。基準電圧Ｖｒｅｆを変えることで、カラーキラーがすぐに利くようになるものと、なかなか利かないものとを選べる。
【００１３】
例えば、カラーキラーがすぐに利くようにするのをデジタル値５とすれば、デジタル値５をＥＥＰＲＯＭ１に記憶させておく。すると、ＣＰＵ２は、ＥＥＰＲＯＭ１のデジタル値５をバスライン１３及び１４を介して読みにいく。次に、ＣＰＵ２は、デジタル値５をバスライン１５乃至１７を介してバスインターフェイス回路３に加える。
バスインターフェイス回路３の役割は、ＣＰＵ２から来るシリアルデータをカラーキラー制御回路４に与えられるように、パラレルデータに変換することである。
【００１４】
バスインターフェイス回路３の出力信号がカラーキラー制御回路４に加わると基準電圧Ｖｒｅｆは、デジタル値５に応じた値となる。この値とは、カラーキラーがすぐに利くようになるもので、端子６から得られるバースト信号の平均の大きさより少し小さくしておく。そうすれば、バースト信号の大きさが少しでも低下すれば、コンパレータ５の出力はＬレベルに反転する。コンパレータ５の出力がＨレベルの時は、ＢＰＡ７は通常のゲインで動作するが、コンパレータ５の出力がＬレベルになると、ＢＰＡ７のゲインはゼロとなり、カラー信号が復調回路９に伝わらなくなる。
【００１５】
なお、復調回路９はＢＰＡ７からのカラー信号を復調して３つの色差信号Ｒ−Ｙ，Ｇ−Ｙ、Ｂ−Ｙを発生する。この３つの色差信号Ｒ−Ｙ，Ｇ−Ｙ、Ｂ−Ｙは、端子１１からのＹ（輝度）信号とマトリクス回路１０でマトリクスされ３つの原色信号Ｒ，Ｇ，Ｂが得られる。
【００１６】
従って、ＥＥＰＲＯＭ１に記憶されているデジタル値５によりカラーキラーがすぐに利くように設定できる。
【００１７】
次に、カラーキラーがなかなか利かないようにしたい時には、カラーキラー制御回路４から発生する基準電圧Ｖｒｅｆを端子６から得られるバースト信号の平均の大きさより十分に小さくしておく。そうすれば、バースト信号の大きさが低下しても、コンパレータ５はなかなか反転しない。その時のデジタル値を３とすれば、デジタル値３をＥＥＰＲＯＭ１に記憶させておけば良い。そうすれば、デジタル値５の時と同様にＣＰＵ２が動作し、カラーキラー制御回路４から発生する基準電圧Ｖｒｅｆが低下する。
従って、上述の装置によれば、カラーキラーの動作点をＥＥＰＲＯＭ１の内容を書きかえるだけで、自由に設定することが可能である。
【００１８】
【発明の効果】
本発明によれば、カラーキラーの動作点をメモリーの記憶を変えるだけで自由に設定できるので、ＩＣの外付け部品を変更したりする手間がかからない。このため、ＴＶ受像機のモデルや、仕向け地、設計者の要求などによりカラーキラーの動作点が様々に変っても簡単に対応することができる。
【図面の簡単な説明】
【図１】本発明の実施形態に係るカラーキラー調整装置のブロック図である。
【符号の説明】
１　ＥＥＰＲＯＭ　　２　ＣＰＵ　　３　バスインターフェイス回路
４　カラーキラー制御回路　　５　コンパレータ　　７　ＢＰＡ
【図１】
2004112165.tif 000003